(57)【要約】【課題】本発明は、１人だけの試験要員で、実際のナースコールの動作に準じて、呼出、通話試験を簡便に実施でき、かつ信頼性の高い動作試験を実施することのできるナースコールシステムを提供することを課題とする。【解決手段】本発明は、ナースコール親機に、自動試験スイッチ、選局試験スイッチ、半自動試験スイッチ（手動インクリメント試験スイッチ）の中の少なくとも１つを有する動作試験操作部を有し、前記の試験スイッチの１つを操作することにより、子機を直接操作することなく動作させ、選局通話試験と呼出復旧試験を実行できることを特徴とする。【選択図】図２
2007150703.tif 000002
【特許請求の範囲】
【請求項１】
各病室などに設置され、呼出スイッチおよび通話のためのマイクとスピーカを有した複数のナースコール子機と、ナースセンターなどに設置され、前記ナースコール子機を選局するための一覧式の選局部を有するナースコール親機と、各病室の出入口に設置され、前記ナースコール子機による呼出状況を点灯表示する個別廊下灯と、を相互に通信線で接続し、前記ナースコール親機と前記ナースコール子機との間で相互に、呼出・通話を行なうように構成されたナースコールステムにおいて、
前記ナースコール親機は、自動試験スイッチ、選局試験スイッチ、半自動試験スイッチの中の少なくとも１つを有する動作試験操作部を有し、前記の試験スイッチの１つを操作することにより、子機を直接操作しないで、選局通話試験と呼出復旧試験とを実行できるようにしたことを特徴とするナースコールシステム。
【請求項２】
前記選局通話試験は、前記ナースコール親機から可聴帯域外周波数信号を指定された選局回線の子機に送出し、当該子機のスピーカから出るテスト信号をマイクで収集してナースコール親機へ返信し、返信信号をナースコール親機で基準値と比較することにより、正常、異常を判定し、結果を表示できるようにしたことを特徴とする請求項１記載のナースコールシステム。
【請求項３】
前記呼出復旧試験は、前記選局通話試験状態をリセットしたあと、前記ナースコール親機からリセット回線のナースコール子機に呼出ボタンのＯＮ信号を送信することにより前記ナースコール子機を呼出状態にセットし、呼出状態に設定されたナースコール子機から送られる呼出信号で呼出状態に設定される前記ナースコール親機で呼出、復旧状態の正常、異常を判定し、結果を表示できるようにしたことを特徴とする請求項１または請求項２記載のナースコールシステム。
【発明の詳細な説明】
【技術分野】
【０００１】
本発明は、病院や福祉施設で使用されるナースコールシステムに係り、特に、ナースコール親機側において、ナースコール子機の呼出・通話試験を自動実行できるナースコールシステムに関する。
【背景技術】
【０００２】
病院に設置されるナースコールシステムは、一般に、ナースセンターに設置されるナースコール親機と、病室の出入り口に設置される個別廊下灯と、患者のベッドサイドに設置されるナースコール子機とから構成される。
【０００３】
ナースコールシステムを病院へ納入設置する場合の一般的な手順を説明すると、まず、ナースコールシステムを構成する各機器を病院の所定の場所に設置し、機器間を接続するケーブル通線工事を行い、最後に、ケーブルを機器に接続する結線工事が行なわれる。
【０００４】
仕上げとして、相互に接続されたナースコールシステム全体の動作試験を行なって、正常に機能することを確認したあと病院側に引き渡される。
【０００５】
ところで、ナースコールシステムの動作試験は、従来は、親機、子機、個別廊下灯の操作乃至動作確認のため、２人〜３人の試験員を配置し、ナースセンター側と病室側で、呼出、応答、復旧操作を、タイミングを見はかりながら実行し、動作確認を行なう方法で実施していた。
【０００６】
なお、動作試験の方法としては、呼出試験と通話試験にわけて行なう方法もある。この場合、通話試験だけなら１人で実行することも可能である。
【０００７】
すなわち、ナースコール親機で送受器を取上げ、選局スイッチでナースコール子機を選択し、送受器のマイクに息吹音を送り込み、送受器のレシーバから聞こえる音を微妙に聞き分ける。これは、子機のスピーカから出た音が病室内で反響し、反響音が子機のマイクを経由して、受話器のレシーバに戻ることを利用している。この方法は、特許文献１に従来例として記載されている。
【０００８】
特許文献１の発明は、上述した、１人で親機の選局ボタンを切替ながら実施する通話試験に類似している。違いは、選局ボタンの切替が自動であること、実音声ではなく、回線電圧（または電流）の違いで良否を判定することである。
【０００９】
次に、特許文献２記載の発明について述べる。
この発明のよれば、ナースコール親機に設けたテストスイッチを押すたびに、端末ユニットで構成された廊下灯およびナースコール子機を順次切替える。切替の各ステップで、親機と子機との間で試験員が実際に通話を行なって試験を進めることができる。
【００１０】
【特許文献１】特開２００２−２６１９５３号公報
【特許文献２】特開平１−１１２４７９号公報
【発明の開示】
【発明が解決しようとする課題】
【００１１】
特許文献１の発明は、マイク接続線（ＬＭ）または個別接続線（Ｌｎ）に関しては、電圧値または電流値を基準値と比較することにより、異常を発見できる。しかし、一連のナースコール動作に従って、実使用状態の可否をテストするものではない。
【００１２】
要するに、親機の選局捜査で接続された各子機回線の電圧値または電流値に異常が無いなら、実際の動作（呼出・通話）も正常だろうという推定を前提とした発明である。実際の通話試験、呼出試験が含まれていないから、自己診断機能の信頼性は必ずしも高いとは言えないという問題がある。
【００１３】
特許文献２の発明は、親機側と子機側にそれぞれ試験要員を配置し、親機側でテストスイッチを押すことによって、子機側の試験要員が、自動的に順次切替えられるテスト端末（廊下灯、ナースコール子機）の動作をランプ表示等で見極めながら、親機側の試験要員と協力して、対象端末の復旧操作、通話試験、動作確認を継続実行することにより、ナースコール動作の診断を行なうものである。
【００１４】
この発明によれば、自動ステップの中に、人手による通話試験が組み込まれているなど、実際の使用状態に近く、テストの信頼性は高いが、少なくとも２人の試験要員を必要とする等の点で問題がある。
【００１５】
本発明は、前述した公知技術の問題点に鑑み、１人だけの試験要員で、実際のナースコールの動作に準じた、呼出、通話試験を簡便に実施できるナースコールシステムを提供することを課題とする。
【課題を解決するための手段】
【００１６】
本発明は、ナースコール親機に、自動試験スイッチ、選局試験スイッチ、半自動試験スイッチ（手動インクリメント試験スイッチ）の中の少なくとも１つを有する動作試験操作部を有し、前記の試験スイッチの１つを操作することにより、子機を直接操作することなく動作させ、選局通話試験と呼出復旧試験を実行できることを特徴とするナースコールシステム特徴とするものである。
【００１７】
また、本発明は、選局通話試験において、ナースコール親機から可聴帯域外周波数信号を指定された選局回線の子機に送出し、当該子機のスピーカから出るテスト音信号をマイクで収集してナースコール親機へ返信し、この返信信号をナースコール親機で基準値と比較することにより、正常、異常を判定しも結果を表示できるようにしたことを特徴とするものである。
【００１８】
さらに、本発明は、呼出復旧試験において、遠隔制御手段で呼出状態に設定したナースコール子機からナースコール親機を呼出すように構成したことを特徴とするものである。
【発明の効果】
【００１９】
本発明は、前記のように構成されているので、親機側に試験員を１人配置すればよく、子機側に試験員は不要である。
【００２０】
すなわち、複数の試験員が病室にあわただしく出入りしてナースコール子機の呼出しボタン押したり、復旧ボタンを押したりする必要もないし、また、選局通話試験においては、テスト音信号として、可聴帯域外周波数信号を用いるため、ナースコール子機のスピーカから出る音声は患者さんには聞こえず、テスト音で患者さんを煩わせることもない。
【００２１】
また、本発明の動作試験においては、機器間の通線はもちろん、機器内部の構成部品、たとえば、通話用のマイク、スピーカやマイクアンプ、呼出検出回路等に特性不良、機能不良があれば、不具合として検出することができる。
【発明を実施するための最良の形態】
【００２２】
以下添付図面を参照して本発明の好適な実施例を説明する。
【００２３】
第１図は、本発明システムの基本構成図であり、１は、ナースセンターなどの壁面に設置され、選局操作表示部２を有する多回線型のナースコール親機であり、１６は病室の出入り口に設置される患者別廊下灯であり、３は病室のベッドサイドに設置されるナースコール子機である。
【００２４】
ナースコール子機３の外観は通有のものであり、ナースコール親機と相互に通話するためのスピーカ４及びマイク５、復旧ボタン６および握り呼出ボタン７を具備している。
【００２５】
ナースコール親機１の選局操作表示部２は、複数の個別操作表示部８を集成配列したものであり、各個別操作表示部８は、それぞれ、ベッド番号表示部９、個別表示灯付選局ボタン１０、救護区分スイッチ１１、患者情報表示部１２、氏名カード１３を有する通有のものである。
【００２６】
ナースコール親機１において、１４は動作試験操作部であり、誤操作を防止するための開閉自在な保護カバー１５を有し、内部には、自動試験スイッチ（AＵＴＯ）１４ａ、半自動試験スイッチ（ＩＮＣ）１４b、選局試験スイッチ（SEL）１４ｃが設けられている。
【００２７】
患者別廊下灯１６は、個別表示灯１７、救護区分表示１８、氏名カード１９、代表灯２０、室番カード２１で構成される患者別表示部を所要数並べたものである。なお、２２は呼出状態を解除するための復旧ボタンである。
【００２８】
なお、本発明は、実施例のように、個別部品で構成する従来型に限定されるものではない。たとえば、ナースコール親機１を、大画面のタッチパネル付液晶モニタで構成することが可能である。
【００２９】
そうすれば、病室レイアウトに従ってナースコール子機３の位置を表示させることができる。患者別廊下灯１６も同様に液晶モニタで構成することができる。
【００３０】
第２図は、このシステムにおける回路ブロック図を示したものである。 
【００３１】
ナースコール親機１は、ＣＰＵなどで構成される制御部２３を有し、これに、ＲＡＭ、ＲＯＭで構成される記憶部２４をはじめとして、選局操作表示部２、外部ネットワークに接続される外部Ｉ／Ｏ２５、送受器２７につながる通話制御部２８、テスト音発生手段２９、テスト音比較評価手段３０、呼出スピーカ３１を制御する呼出音制御部３２、液晶表示パネル３３、動作試験操作部１４のスイッチ入力を受け付ける操作受付手段３４が接続されている。
【００３２】
動作試験操作部１４は、前述したように、自動試験スイッチ１４ａ、半自動試験スイッチ１４ｂ、選局試験スイッチ１４ｃで構成されている。
【００３３】
選局操作表示部２は、制御部２３に接続されるインターフェースＩ／Ｏ２６と、これに接続された複数の個別表示灯付選局ボタン１０とで構成されている。個別表示灯付選局ボタン１０は、図示の例では、ノンロック式の選局スイッチ１０ａと、個別表示灯１０ｂとで構成されている。
【００３４】
個別表示灯１０ｂは、赤ＬＥＤと緑LEDとからなり、それぞれに印加される電圧の組み合わせ方で、赤、緑、橙色で発光する。また、連続点灯させたり、点滅させたりすることができる。従って、１つの個別表示灯で６種類の状態を区別して表示させることができる。
【００３５】
また、制御部２３は、電流検出手段３５、入出力Ｉ／Ｏ３６を介して、幹線ケーブル３７に接続されている。
【００３６】
幹線ケーブル３７は、図示の例では、Ｌ１、Ｌ２、Ｌ３、Ｌ４、Ｌ５の５本の通信線で構成され、それぞれ、送話線、マイク線、データ線、電源線、共通線に割り当てられている。
【００３７】
なお、電流検出手段３５は電流比較手段３８を介して制御部２３に接続されている。
【００３８】
次に患者別廊下灯１６の回路ブロックについて説明する。
【００３９】
患者別廊下灯１６は、制御部３９と、これに接続された入出力Ｉ／Ｏ４０、代表灯２０、複数の個別表示灯１７、ＲＡＭ、ＲＯＭから構成される記憶部４１、復旧ボタン２２とから構成され、入出力Ｉ／Ｏ４０は前記した幹線ケーブル３７を介してナースコール親機１に接続されている。
【００４０】
４２は、制御部３９の一部を構成する回線制御部４２であり、動作説明を理解しやすくするために具体回路の１例を示したが、本発明は当該実施例に限定されるものではない。
【００４１】
回線制御部４２の各回線は、通話リレー（１Ａ〜ｎＡ）を有し、その接点で、呼出、通話状態を切替制御する。
【００４２】
すなわち、例えば、通話リレー１Ａの一端は、（回線１）の通話制御端子に接続され、その一方の接点ａ１１のブレーク側およびメーク側は、（回線１）の呼出検出端子および受話入力端子にそれぞれ接続され、コモン側は呼出受話端子Ｔ２に接続されている。
【００４３】
通話リレー１Ａの他方の接点ａ１２のブレーク側およびメーク側は、一斉放送端子および送話出力端子にそれぞれ接続され、コモン側は送話端子Ｔ１に接続されている。
【００４４】
制御部３５の遠隔制御端子は、遠隔制御用端子Ｔ３に接続されている。
【００４５】
次にナースコール子機３の回路ブロックについて説明する。
【００４６】
ナースコール子機３は、可聴帯域外までの音声を出力できる広帯域のスピーカ４、周囲音を収集するマイク５、マイクの集音出力を増幅するマイクアンプ４３、呼出状態を保持する保持回路４４、保持回路の起動スイッチとして機能する呼出ボタン７、患者別廊下灯１６の遠隔制御出力で動作する制御リレーＢで構成され、制御リレーＢの接点b1は、呼出ボタン7の接点と並列に接続されている。
【００４７】
また、スピーカ４、マイク５、マイクアンプ４３、保持回路４４、制御リレーBの片側は、それぞれ、送話端子T1、呼出受話端子Ｔ２、遠隔制御端子Ｔ３に接続され、他側は共通端子Ｃに接続されている。なお、復旧ボタン６は、Ｔ２ラインに直列に挿入されている。
【００４８】
次に、図２を参照して、ナースコールシステムの一般的かつ基本的なナースコール動作について説明する。
【００４９】
まず、ナースコール子機３の呼出ボタン７を押すと、保持回路４４がＯＮし、そのＯＮ信号は、呼出受話線を介して患者別廊下灯１６に送出され、接点ａ１１のブレーク側を介して制御部３５の呼出検出端子に届く。
【００５０】
制御部３５は、呼出検出端子でナースコール子機３からの呼出信号を検出すると、所定の動作プログラムに従い、代表灯２０、個別表示灯１７を点灯または点滅させるとともに、呼出コマンドデータを入出力Ｉ／Ｏ４０、幹線ケーブル３７を介してナースコール親機１へ送信する。
【００５１】
なお、呼出コマンドデータの送信には幹線ケーブル３７のなかのデータ線（Ｌ３）が使用される。
【００５２】
呼出コマンドデータのデータ内訳としては、患者別廊下灯１６のアドレス、呼出したナースコール子機３のチャンネル番号、呼出種別データ等が含まれる。
【００５３】
ナースコール親機１の制御部２３は、入出力Ｉ／Ｏ３６、電流検出手段３５を介して呼出コマンドデータを受信すると、その内容を解析し、解析結果に応じて全体動作を制御する。すなわち、選局操作表示部２の個別表示灯１０ｂを指定の条件で点滅させ、どのナースコール子機３から呼出があったかを周囲に報知する。
同時に、呼出音制御部３２を作動させ、呼出音スピーカ３１を鳴動させる。
【００５４】
この状態で、送受器２７を取上げると、フックオフ信号が通話制御部２８を介して制御部２３に伝達される。制御部２３は、このフックオフ信号に対応して、所定の通話制御動作を実行する。
【００５５】
すなわち、呼出音制御部３２に対して呼出停止信号を送り、呼出音を停止させるとともに、選局操作表示部２４の個別表示灯１０ｂを点滅から点灯に切替える。
【００５６】
同時に、通話開始コマンドを、幹線ケーブル３７のデータ線Ｌ３上に送出すると共に、制御部２３内の通話路を、送受話ライン(Ｌ１、Ｌ２)に接続する。
【００５７】
患者別廊下灯１６の制御部３９は、この通話開始コマンドを受信すると、代表灯２０および個別表示灯１７をそれぞれ消灯させるとともに、通話制御端子から出力する電圧で通話リレー１ＡをＯＮさせ、リレー接点ａ１１、ａ１２を通話状態に切替える。
【００５８】
この結果、制御部３９の送話出力端子および受話入力端子は、接点ａ１２、接点ａ１１を介して、ナースコール子機３のスピーカ１１、マイクアンプ４３にそれぞれ接続される。
【００５９】
このようにして、ナースコール親機１と、ナースコール子機３との間は通話状態に設定される。
なお、この通話切替動作に連動して、保持回路４４の呼出状態は解除される。
【００６０】
以上、ナースコール子機３からナースコール親機１を呼出して通話する場合の基本動作を説明したが、ナースコール親機１からナースコール子機３を呼出して通話する場合もほぼ同様であり、その説明は省略する。
【００６１】
次に、本発明におけるナースコールシステムの動作試験について、図２と、図３を参照して説明する。
【００６２】
動作試験操作部１４には、３種類の試験モードに対応して、自動試験スイッチ１４ａ、半自動試験スイッチ（半自動）１４b、選局試験スイッチ14ｃが用意されており、その中から１つを選んで押すと（ステップ１０１）、選択したスイッチに対応する所定のモードフラグが設定される（ステップＳ１０２）。
【００６３】
次いで、選択した試験スイッチの如何にかかわらず、選局操作表示部２における選局回線を指定するための選局チャンネルカウンタ（図示せず）の値が０にセットされる（Ｓ１０３）。
【００６４】
続いて、モードフラグによる分岐ステップＳ１０４に進む。この分岐ステップ（ステップ１０４）では、設定されたモードフラグの値に応じてそれぞれに分岐する。
【００６５】
まず、たとえば、選局試験のモードフラグが立っている場合には、「選局」側に分岐する。そこでは、選局操作表示部２の中のいずれかの選局スイッチ１０ａが押されたかどうかを監視する（ステップＳ１０５）。選局スイッチ１０ａが押されなければ選局試験を中止する。
【００６６】
他方、いずれかの選局スイッチ１０ａが押された場合には、押された選局スイッチ１０ａの回線番号を取得し（ステップＳ１０６）、選局通話試験（Ｓ１０７）、呼出復旧試験（Ｓ１０８）を次々実行する。
【００６７】
なお、選局通話試験（Ｓ１０７）、呼出復旧試験（Ｓ１０８）の詳細フローは後述する。このようにして、両試験が終了すると、選局スイッチ１０aが押されたかどうかを監視するステップＳ１０５に戻り、一連の動作を繰り返す。
【００６８】
次に、ステップ１０４で、自動試験スイッチのモードフラグが立っている場合には、自動側に分岐する。次いで、選局チャンネルカウンタを０から１にインクリメントし（Ｓ１１０）、まず、１回線目の選局通話試験（Ｓ１１１）、呼出復旧試験（Ｓ１１２）を実行する。
【００６９】
次に、呼出復旧試験（Ｓ１１２）が終了すると、ステップＳ１１３で、選局チャンネルカウンタ値を参照し、参照値がナースコール親機１に収容されている選局可能回線数に達していなければ、モードフラグによる分岐（ステップ１０４）にもどる。他方、選局可能回線数に達していれば、自動試験を終了する。
【００７０】
次に半自動試験のモードフラグが立っている場合には、基本的には、自動試験と同様の動作フローとなるが、自動試験の場合と異なり、選局チャンネルカウンタのカウンタ値は、半自動試験スイッチを１回押す毎に１ずつ増加し、押さない限り変化しないため、半自動スイッチを押したかどうかを判定するステップ１０９が追加される。
【００７１】
次に図４を参照して、図３で説明した選局通話試験（ステップＳ１０７）、（ステップＳ１１１）の詳細フローについて説明する。
【００７２】
選局通話試験においては、まず選局チャンネルカウンタの値が（＃＝ｉ）として指定されているものとする（Ｓ２０１）。
【００７３】
カウンタ値が設定されると、制御部２１は選局通話状態に制御され、選局チャンネルカウンタの値（＃＝ｉ）に対応する特定の選局回線がONし（ステップＳ２０２）、内部の通話信号経路を入出力Ｉ／Ｏ３６を介して幹線ケーブル３７に接続する。その結果、指定回線の個別表示灯１０ｂが点灯し選局状態に保持される（ステップＳ２０３）。
【００７４】
続いて、制御部２１は、選局通話コマンドを患者別廊下灯１６に送信する（ステップＳ２０４）。このコマンドには、患者別廊下灯１６を指定するための廊下灯アドレス、ナースコール子機を指定するための子機チャンネル番号、命令コマンドなどが含まれる。
【００７５】
選局通話コマンド送信（ステップＳ２０４）が終了すると、次に、電流検出手段３５で、監視電流検出（ステップＳ２０５）が行なわれ、電流比較手段３８で電流値良否判定（ステップ２０６）が実施される。
【００７６】
なお、図２の実施例の場合、具体的には、ナースコール親機１の入出力Ｉ／Ｏを構成する、各端子（Ｌ１、Ｌ２、Ｌ３、Ｌ４、Ｌ５）の中から、必要な端子に関する電流を検出することができる。電流比較手段３８では、検出された電流値を基準値と比較し、異常があれば、判定結果と異常ライン乃至端子の識別番号を制御部３９に出力することができる。
【００７７】
制御部３９は、異常結果を受け取ると、例えば、個別表示灯１０ｂの点灯色や点滅間隔を制御し、異常回線を表示される。なお、表示方法としては、図１の実施例の場合には、液晶表示パネル４５に文字や数字で表示することも可能である。
【００７８】
次に、選局通話コマンド送信（ステップＳ２０４）に続くテスト信号発生（ステップＳ２０８）について説明する。このステップでは、テスト音発生手段２９により、可聴帯域外周波数の信号が発生する。
【００７９】
ここでいう可聴帯域外周波数の信号は、連続信号あるいは断続信号のいずれでも良い。また、信号波形は、正弦波形、方形波形、バースト波形を問わない。また、メロディ化したものでも良い。
【００８０】
ただし、この信号は、いずれにしても、ナースコール子機３のスピーカ４から出力できることを企図するものであるから、人間の可聴周波数帯域外であって、かつスピーカ４から出力できる周波数範囲内の周波数に限定される。
【００８１】
発生したテスト信号は、制御部２３を介して、入出力Ｉ／Ｏ３６の送話端子（Ｌ１）に出力される（ステップＳ２０９）。
【００８２】
一方、患者別廊下灯１６は、ナースコール親機１から選局通話コマンドを受信すると（ステップＳ２１０）、制御部３９から指定回線の通話制御端子に制御電圧を出力し、例えば、通話リレー１Ａを動作させる（ステップＳ２１１）。
【００８３】
この結果、接点ａ１１、接点ａ１２が通話状態に切替えられ（ステップＳ２１２）、制御部３９の受話入力端子から、接点ａ１１、呼出受話線を介してナースコール子機３のマイクアンプ４３に電圧が印加され、マイクアンプ４３が起動する（ステップ２１４）。
【００８４】
また、制御部３９の送話出力端子は、接点ａ１２、送話線を介して、ナースコール子機３のスピーカ４に接続され、同経路を介して、ナースコール親機からのテスト信号が中継され（ステップＳ２１３）、スピーカ４から放音される（ステップＳ２１５、ステップＳ２１６）。
【００８５】
この状態は、すなわち、ナースコール親機１とナースコール親機３とが相互に通話可能な状態である。
【００８６】
ところで、ある意味、スピーカ４は、広帯域スピーカとも呼べるスピーカであり、テスト信号に対応した可聴帯域外周波数の音、すなわち、人間の耳には知覚できない音を外部に放出する。
【００８７】
マイク５は一般的にコンデンサ型であり、可聴帯域外周波数であっても、一定の範囲内の周波数に対し感度を有しているので、スピーカ４から放出される可聴帯域外周波数の音を集音することができる（ステップ２１７）。
【００８８】
マイク５の集音信号は、マイクアンプ４３で増幅され、呼出受話線、接点ａ１１、制御部３９の受話入力端子、入出力Ｉ／Ｏ４０、受話端子Ｌ２を介してナースコール親機１へ送信される（ステップ２１８、ステップ２１９、ステップ２２０）。
【００８９】
ナースコール親機１では、集音信号を受信すると、テスト音比較評価手段３０に入力し、基準値に対する比較評価が実行され（ステップＳ２２１）、結果の良否を表示する（ステップＳ２２２）。表示手段としては、前述した電流良否の表示と同様、個別表示灯１０ａや液晶パネル４５を使用することができる。
【００９０】
集音信号評価（ステップＳ２２１）が終了しだい、選局回線復旧（ステップＳ２２３）に遷移し、制御部３９の働きで、所定範囲の復旧処理が実行され、個別表示灯１０ｂが消灯する（ステップＳ２２４）。
【００９１】
同時に、ナースコール親機１から患者別廊下灯およびナースコール子機３に対して通話復旧コマンドが送信され（ステップＳ２２５）、それぞれ復旧し（ステップＳ２２６、ステップＳ２２７）、１回線分の選局通話試験は終了する。
【００９２】
次に図２、図３および図５を参照して、図３で説明した呼出復旧試験（ステップＳ１０７、Ｓ１１２）の詳細フローについて説明する。
【００９３】
なお、図３に示すように、呼出復旧試験（ステップＳ１０８、ステップＳ１１２）は、選局通話試験（ステップＳ１０７、ステップＳ１１１）に連続しており、選局チャンネルカウンタの値が（＃＝ｉ）として指定されているものとする（ステップＳ３０１）。
【００９４】
ナースコール親機１ではまず、選局チャンネルカウンタ値（＃＝ｉ）を参照して呼出コマンドが作成され、患者別廊下灯１６へ送信される（ステップ３０２）。呼出コマンドデータには、通常、廊下灯番地、子機チャンネル番および動作コマンドが含まれる。
【００９５】
患者別廊下灯１６においては、呼出コマンドを受信すると（ステップＳ３０３）、呼出コマンドを解析し（ステップＳ３０４）、その解析結果に対応して、制御部３９の遠隔制御端子に制御電圧を出力する（ステップＳ３０５）。
【００９６】
ナースコール子機３では、遠隔制御線に印加された電圧で制御リレーＢが動作し（ステップＳ３０６）、呼出接点bｌが閉成され（ステップＳ３０７）、保持回路44が動作する（ステップＳ３０８）。
【００９７】
保持回路４４のＯＮ信号は、呼出受話線を介して患者別廊下灯16に送信される（ステップＳ３０９）。
【００９８】
患者別廊下灯１６の呼出検出端子で呼出電圧が検知されると（ステップＳ３１０）、制御部３９の働きで、代表灯２０、個別表示灯１７が点灯する（ステップ３１１）。さらに、制御部３９から入出力Ｉ／Ｏ４０のデータ端子Ｌ３を介して、ナースコール親機１へ被呼出コマンドが送られる（ステップＳ３１２）。
【００９９】
なお、呼出ボタン７に代わる呼出接点b１による呼出動作は、呼出ボタン７による呼出動作と何ら変わるものではない。
【０１００】
従って、ナースコール親機１では、被呼出コマンドを受信したあと（ステップＳ３１３）、個別表示灯１０ｂが点灯し（ステップＳ３１４）、呼出音が鳴動する（ステップＳ３１５）。
【０１０１】
次いで、ナースコール親機１が呼出を受けた状態の幹線ケーブル３７に流れる電流が電流検出手段３５で検出され（ステップＳ３１６）、電流比較手段３８で電流値の良否が比較判定され（ステップＳ３１７）、判定結果は、前述の選局通話試験と同様、個別表示部１０ｂや液晶パネル４５に表示される（ステップＳ３１８）。
【０１０２】
電流値の良否判定結果が費用時されたあと、ナースコール親機１から患者別廊下灯１６に対して、子機復旧コマンドが送信される（ステップＳ３１９）。
【０１０３】
患者別廊下灯１６では、子機復旧コマンドを受信すると、制御部３９の内部で、呼出検出端子につながるラインを一瞬解放し（ステップＳ３２１）、ナースコール子機３の保持回路４４を復旧させる（ステップＳ３２２）。
【０１０４】
患者別廊下灯１６では、保持回路４４の復旧を検知すると、制御部３９で復旧処理を実行する（ステップＳ３２３）と共に、復旧完了コマンドをナースコール親機１へ送信する（ステップＳ３２４）。
【０１０５】
ナースコール親機１では、患者別廊下灯１６から復旧完了コマンドを受信すると（ステップＳ３２５）、復旧処理（ステップＳ３２６）が実行され、指定回線における呼出復旧試験が終了する。
【図面の簡単な説明】
【０１０６】
【図１】本発明の１実施例におけるナースコールシステムの基本構成図。
【図２】本発明の１実施例におけるナースコールシステムの回路ブロック図。
【図３】本発明の１実施例における動作試験の総合フロー図。
【図４】本発明の１実施例における選局通話試験のフロー図。
【図５】本発明の１実施例における呼出復旧試験のフロー図。
【符号の説明】
【０１０７】
１・・・ナースコール親機、２・・・選局操作表示部、３・・・ナースコール子機、４・・・スピーカ、５・・・マイク、６・・・復旧ボタン、７・・・呼出ボタン、８・・・個別操作表示部、９・・・ベッド番号表示部、１０・・・個別表示灯付選局スイッチ、１４・・・動作試験操作部、１４ａ・・・自動試験スイッチ、１４ｂ・・・半自動試験スイッチ、１４ｃ・・・選局試験スイッチ、１６・・・患者別廊下灯、１７・・・個別表示灯、２０・・・代表灯、２３・・・制御部、２４・・・記憶部、２５・・・外部Ｉ／Ｏ、２６・・・インターフェースＩ／Ｏ、２７・・・送受器、２８・・・通話制御部、２９・・・テスト音発生手段、３０・・・テスト音比較評価手段、３１・・・呼出音スピーカ、３２・・・呼出音制御部、３３液晶表示パネル、３４・・・操作受付手段、３５・・・電流検出手段、３６・・・入出力Ｉ／Ｏ、３７・・・幹線ケーブル、３８・・・電流比較手段、３９・・・制御部、４０・・・入出力Ｉ／Ｏ、４１・・・記憶部、４２・・・回線制御部、４３・・・マイクアンプ、４４・・・保持回路
【図１】
2007150703.tif 000003
【図２】
2007150703.tif 000004
【図３】
2007150703.tif 000005
【図４】
2007150703.tif 000006
【図５】
2007150703.tif 000007